【事件の表示】
　特願２００８−１８８３３６「省電力制御装置及び画像形成装置」拒絶査定不服審判事件〔平成２１年　２月１２日出願公開、特開２００９−　３２２５８〕について、次のとおり審決する。
【結　論】
　本件審判の請求は、成り立たない。
【理　由】
１．経緯
　本件は、平成９年１０月２８日に出願した特願平９−２９５５９６号（特開平１１−１３６８５８号公報）の一部を平成１７年９月１５日に新たな特許出願とした特願２００５−２６８３４３号（特開２００６−７３０２３号公報）の一部をさらに平成２０年７月２２日に新たな特許出願としたものである。
　そして、平成２１年１月９日付けで拒絶理由を通知したところ、同年３月１９日に意見書及び手続補正書の提出がなされ、同年４月１０日付けで拒絶査定を行ったところ、同年７月１４日に審判請求書の提出がなされたものである。
　
２．本願発明
　平成２１年３月１９日付け手続補正書の特許請求の範囲には、請求項１〜６の発明が記載されているところ、その請求項１に記載された発明（以下、「本願発明」という。）は、以下のとおりのものと認める。
　
　「押圧された位置情報を座標検出回路で検出するタッチパネルと、画像形成の開始を指示するスイッチと、画像形成部数を設定するスイッチと、各種設定を初期値に戻すスイッチと、余熱スイッチとを有する操作部が設けられるとともに、スタンバイモードと当該スタンバイモードにおける消費電力よりも低い消費電力となる省電力モードを有する画像形成装置本体、を制御する省電力制御装置であって、前記操作部を制御する操作部制御手段と、前記スタンバイモード及び前記省電力モードのそれぞれにおいて電力が供給され、前記画像形成装置本体を制御するメイン制御手段と、を備え、前記操作部制御手段は、前記省電力モードにおいて、前記座標検出回路を動作させずに前記スイッチが押圧されたか否かを全ての前記スイッチに対して検出し、前記メイン制御手段は、全ての前記スイッチのうち何れか１つが押圧されると、前記省電力モードから前記スタンバイモードに移行するように前記画像形成装置本体を制御することを特徴とする省電力制御装置。」
　
３．引用文献記載の発明
　原査定の拒絶の理由において引用された特開平９−１０６２２５号公報（以下、「引用文献１」という。）には次の記載がなされている。
　
ａ．「画像形成装置の電源制御装置」（【発明の名称】の記載。）  
　
ｂ．「図４は、デジタル複写機の操作部のキー配列を示し、以下、図に従い説明する。
　３１５は、主電源ランプであり、電源オン時に点灯する。図示せぬ電源スイッチは、本体の側面に配置され、本体への通電を制御する。３０１は、予熱キーであり、予熱モード（スリープモード）のＯＮ／ＯＦＦに使用する。
　３０４は、コピーモードキーであり、複数の機能の中からコピーモードを選択するときに使用する。３０３は、ファックスモードキーであり、複数の機能の中からファックスモードを選択するときに使用する。３０２は、オプションモードキーであり、プリンタなどのオプション装置を装着しているとき、複数の機能の中からオプションモードを選択するときに使用する。３１７〜３２２は、状況表示ランプであり、それぞれ、ランプ３１７及び３１８はコピー動作中、ランプ３１９及び３２０はファクシミリ動作中、ランプ３２１及び３２２はオプション動作中の状態を示す。また、ランプ３１７、３１９、３２１は、正常動作の状態を示し、ランプ３１８、３２０、３２２は、エラーの状態を示す。更に、ランプ３１７は、点滅ならばコピー中、点灯ならば画像メモリを使用中である事を示す。ランプ３１９は、点滅ならばファックス送受信中、点灯ならば画像メモリを使用中である事を示す。３２１は、点滅ならばデータ受信中、点灯ならばデータ送信中である事を示す。そして、ランプ３１８、３２０、３２２は、各モードについて、点滅ならば、紙詰まり、紙なし、トナーなしの状態を示し、点灯ならば、故障の状態を示す。
　３０５は、コピースタートキーであり、コピーの開始を指示するときに用いるキーである。３０６は、ストップキーであり、コピーを中断したり、中止したりするときに用いるキーである。
　３０８は、リセットキーで、スタンバイ中は標準モードに復帰させるキーとして動作する。３０９は、ガイドキーであり、各機能を知りたいときに使用するキーである。３１１は、割り込みキーであり、コピー中に割り込みしてコピーしたいときに用いる。３１２は、テンキーであり、数値の入力を行うときに使用する。３１３は、クリアキーであり、数値をクリアするときに用いる。３１０は、ユーザーモードキーであり、ユーザーがシステムの基本設定を変更するときに使用する。」
　「３０７は、液晶画面とタッチセンサの組合せからなるタッチパネルであり、各モード毎に個別の設定画面が表示され、さらに、描画されたキーに触れることで、各種の詳細な設定を行うことが可能である。」（段落【００３３】〜【００３７】及び【００３９】の記載。）
　
ｃ．「図１１は、第１の実施形態の動作を示すフローチャートで、以下、図に従い説明する。電源スイッチ１６０３をオン状態にすると、電源ＣＰＵ１６１０の動作がスタートし（ｓ１０１）、像形成装置がスタンバイ・モードになる（ｓ１０２）。スタンバイ・モードにおいて、コンバーターＢ  １６０８から５Ｖ電源、２４Ｖ／１８Ｖ電源が供給される。この時、２４Ｖ／１８Ｖ電源は、省電力のため１８Ｖが出力される。また、操作部の液晶タッチパネル３０７に操作画面を表示させる。」（段落【００９８】の記載。）
　
ｄ．「電源ＣＰＵ１６１０は、予熱スイッチ３０１の状態を検知して（ｓ１０３）、押されていればスリープ・モードに入る（ｓ１０８）。押されていなければ、次に電源ＣＰＵ１６１０は、ＣＰＵ４２３と通信して、操作部のいずれかキーまたはタッチパネルが操作されていない時間が、所定の設定時間（スリープ・タイム）を越えているかどうかをチェックする（ｓ１０４）。越えていれば、スリープ・モードに入る（ｓ１０８）。越えていなければ、ＣＰＵ４２３と通信して、像形成装置がプリントを開始する状態にあるかチェックする（ｓ１０５）。プリントを開始しようとする状態になければ、ｓ１０２へ戻り、スタンバイ・モードを継続する。プリントを開始しようとする状態にあれば、プリント・モードに入り（ｓ１０６）、２４Ｖ／１８Ｖ電源を、省電力のための１８Ｖから、像形成動作可能な２４Ｖへ切り替える。プリント動作を終了すると（ｓ１０７）、再び、２４Ｖ／１８Ｖ電源を、省電力のため１８Ｖへ切り替えて、ｓ１０２へ戻り、スタンバイ・モードに入る。」（段落【００９９】の記載。）
　
ｅ．「スリープ・モードに入ると（ｓ１０８）、タッチパネル３０７の操作画面を消灯し、２４Ｖ／１８Ｖ電源をオフする。さらに、コンバーターＢ  １６０８から出力される５Ｖの電源をオフする。ただし、電源ＣＰＵ１６１０への電源は、コンバーターＣ  １６０９から供給され続ける。電源ＣＰＵ１６１０は、予熱スイッチ３０１の状態を監視し（ｓ１０９）、スイッチ３０１が押されていれば、ｓ１０２のスタンバイ・モードに戻る。押されていなければ、ファクシミリ部のＮＣＵからの着信信号を監視し（ｓ１１０）、着信があれば、ｓ１０２のスタンバイ・モードに戻る。また、５Ｖの電源が立ち上がって、ＣＰＵ４２３の動作がスタートすると、着信があった事を通信で伝達する。ｓ１１０で、着信がなければ、ｓ１０９に戻り、予熱スイッチ３０１と、着信信号の監視を継続する。」（段落【０１００】の記載。）
　
　記載ｂによれば、引用文献１に記載された画像形成装置の操作部は、予熱モードのＯＮ／ＯＦＦに使用する予熱キーと、コピーモードを選択するコピーモードキーと、コピースタートキーと、スタンバイ中は標準モードに復帰させるリセットキーと、数値の入力を行うときに使用するテンキーと、描画されたキーに触れることで各種の詳細な設定を行うことが可能になる液晶画面とタッチセンサの組合せからなるタッチパネルとからなる。
　記載ｃによれば、引用文献１に記載された画像形成装置の電源装置は、電源スイッチをオン状態にすると、電源ＣＰＵの動作がスタートし、像形成装置がスタンバイ・モードになるもので、この時、操作部の液晶タッチパネルに操作画面を表示させるとの構成を備える。
　記載ｄによれば、引用文献１に記載された画像形成装置の電源装置は、電源ＣＰＵが、予熱スイッチの状態を検知して、押されていればスリープ・モードに入り、押されていなければ、次に電源ＣＰＵは、操作部のいずれかキーまたはタッチパネルが操作されていない時間が、所定の設定時間を越えているかどうかをチェックし、越えていれば、スリープ・モードに入るとの構成を備える。
　記載ｅによれば、引用文献１に記載された画像形成装置の電源装置は、スリープ・モードに入ると、タッチパネルの操作画面を消灯するが、電源ＣＰＵへの電源は、供給され続けるもので、電源ＣＰＵは、予熱スイッチの状態を監視し、押されていれば、スタンバイ・モードに戻り、押されていなければ、ファクシミリ部のＮＣＵからの着信信号を監視し、着信があれば、スタンバイ・モードに戻るものであって、予熱スイッチと、着信信号の監視を継続するとの構成を備える。
　
　してみると、引用文献１に記載された発明（以下、「引用文献１記載の発明」という。）は次のとおりのものである。
　「予熱モードのＯＮ／ＯＦＦに使用する予熱キーと、コピーモードを選択するコピーモードキーと、コピースタートキーと、スタンバイ中は標準モードに復帰させるリセットキーと、数値の入力を行うときに使用するテンキーと、描画されたキーに触れることで各種の詳細な設定を行うことが可能になる液晶画面とタッチセンサの組合せからなるタッチパネルとからなる操作部と、電源スイッチをオン状態にすると、電源ＣＰＵの動作がスタートし、像形成装置がスタンバイ・モードになるもので、この時、操作部の液晶タッチパネルに操作画面を表示させ、電源ＣＰＵが、予熱スイッチの状態を検知して、押されていればスリープ・モードに入り、押されていなければ、次に電源ＣＰＵは、操作部のいずれかキーまたはタッチパネルが操作されていない時間が、所定の設定時間を越えているかどうかをチェックし、越えていれば、スリープ・モードに入るものであって、スリープ・モードに入ると、タッチパネルの操作画面を消灯するが、電源ＣＰＵへの電源は、供給され続けるもので、電源ＣＰＵは、予熱スイッチの状態を監視し、押されていれば、スタンバイ・モードに戻り、押されていなければ、ファクシミリ部のＮＣＵからの着信信号を監視し、着信があれば、スタンバイ・モードに戻るものであって、予熱スイッチと、着信信号の監視を継続するとの構成を備える画像形成装置の電源装置。」
　
４．対比
　本願発明と引用文献１記載の発明とを対比する。
　引用文献１記載の発明の「予熱キー」、「コピースタートキー」、「リセットキー」、「描画されたキーに触れることで各種の詳細な設定を行うことが可能になる液晶画面とタッチセンサの組合せからなるタッチパネル」、「電源ＣＰＵ」、「像形成装置」、「スタンバイ・モード」、「スリープ・モード」、「スリープ・モードに入ると、タッチパネルの操作画面を消灯」及び「電源ＣＰＵへの電源は、供給され続ける」は、それぞれ、本願発明の「余熱スイッチ」、「画像形成の開始を指示するスイッチ」、「各種設定を初期値に戻すスイッチ」、「押圧された位置情報を座標検出回路で検出するタッチパネル」、「省電力制御装置」、「画像形成装置本体」、「スタンバイモード」、「省電力モード」、「省電力モードにおいて、前記座標検出回路を動作させず」及び「スタンバイモード及び省電力モードのそれぞれにおいて電力が供給」に相当する。
　
　したがって、両者は以下の一致点と相違点とを有する。
＜一致点＞
　押圧された位置情報を座標検出回路で検出するタッチパネルと、画像形成の開始を指示するスイッチと、各種設定を初期値に戻すスイッチと、余熱スイッチとを有する操作部が設けられるとともに、スタンバイモードと当該スタンバイモードにおける消費電力よりも低い消費電力となる省電力モードを有する画像形成装置本体、を制御する省電力制御装置であって、前記操作部を制御する操作部制御手段と、前記スタンバイモード及び前記省電力モードのそれぞれにおいて電力が供給され、前記画像形成装置本体を制御するメイン制御手段とを備えた省電力制御装置。
　
＜相違点１＞
　操作部に、本願発明では「画像形成部数を設定するスイッチ」も設けられているのに対し、引用文献１記載の発明では明示がない点。
＜相違点２＞
　操作部制御手段が、本願発明では「省電力モードにおいて、前記座標検出回路を動作させずに前記スイッチが押圧されたか否かを全ての前記スイッチに対して検出し、前記メイン制御手段は、全ての前記スイッチのうち何れか１つが押圧されると、前記省電力モードから前記スタンバイモードに移行するように前記画像形成装置本体を制御する」ものであるのに対し、引用文献１記載の発明では「予熱スイッチの状態を監視し、押されていれば、スタンバイ・モードに戻り、押されていなければ、ファクシミリ部のＮＣＵからの着信信号を監視し、着信があれば、スタンバイ・モードに戻る」ものである点。
　
５．当審における判断
　相違点につき検討する。
＜相違点１について＞
　画像形成装置においては、一般に、必要とする画像形成部数を設定した後に、画像形成を開始する。
　また、その設定手段となるスイッチを操作部に設けておくことも利便性等を勘案すれば、当然のことである。
　してみると、必要とする画像形成部数を設定するスイッチを、例えば、引用文献１の記載ｂに示されたテンキー（３１２）のように、操作部に設けておくことは、当該技術分野における常識的技術事項である。
　したがって、相違点１に係る本願発明の構成は、当該技術分野における常識的技術事項を勘案すれば、当然に、引用文献１記載の発明も備える構成であって、この点に係る両者の差異はない。
　
＜相違点２について＞
　座標検出回路を動作させることなしに、省電力モードからスタンバイモードへの移行を、操作部のどのスイッチの押圧を検出して行うかは、当業者が適宜に行う設計的事項にすぎない。
　したがって、相違点２に係る本願発明の構成は、引用文献１記載の発明における「操作部に備えられた予熱スイッチ」と「ファクシミリ部のＮＣＵからの着信信号」による省電力モードからスタンバイモードへの移行に換えて、操作部に備えられた「画像形成の開始を指示するスイッチと、画像形成部数を設定するスイッチと、各種設定を初期値に戻すスイッチと、余熱スイッチ」のうち何れか１つの押圧による省電力モードからスタンバイモードへの移行との当業者が適宜に行う設計的事項を採用して、当業者が格別の創意を要することなく構成し得たものである。
　
　また、本願発明の構成を採用することによる作用効果も、引用文献１記載の発明及び当該技術分野における常識的技術事項から予測できる程度のものである。
　
６．むすび
　以上のとおり、本願発明は、引用文献１記載の発明に基づいて当業者が容易に発明をすることができたものであるから、特許法２９条２項の規定により特許を受けることができない。
　したがって、本願は、拒絶すべきものである。
　よって、結論のとおり審決する。